(57)【要約】      （修正有）【課題】より素早く組み立てることができ、材料もコストダウンできるワイパーの提供。【解決手段】複数のベース１、接続ベース２及びキャッチを含む。そのベースの上方にスロットを設け、そのスロットの下方にＴ型のスロットを設ける。又、その接続ベースに貫通する通し穴、を設け、そのキャッチの上方にＴ型のスロットを設けるし、その下縁に逆Ｕ型のスロットを設けることで、そのベースが接続ベースで接続した後、そのベースのＴ型スロットにキャッチを設けるし、その接続ベースの通し穴にスプリングを貫通して設けて、そのキャッチの逆Ｕ型スロットにゴム条片を嵌めることで、一つのワイプが構成される。【選択図】図１
0003120908.tif 000002
【実用新案登録請求の範囲】
【請求項１】
ワイパーに関するものであり、多数のベース、多数の接続ベース、多数のキャッチ及び二つの保護カバーを包含し、その中、多数のベースはそのベースに嵌めるスロット及びＴ型スロットを設け、
多数の接続ベースはベースの嵌めるスロットに嵌められるベース本体を設け、その上に貫通する通し穴を設けることにより、スプリングを貫通して設けることができ、
多数のキャッチはベースのＴ型スロットに嵌めて設け、その下縁に逆Ｕ型スロットを設けることで、ゴム条片を嵌めて設けることができ、
二つの保護カバーは両端のベースのサイドの縁に嵌めて設けることを特徴とするワイパー。
【請求項２】
請求項１に記載されるワイパーにおいて、そのうち、そのベースの両端のサイドにそれぞれ通し穴を設け、その接続ベースのベース本体に固定穴を設けることにより、そのベース本体をベースの嵌めるスロットに嵌める場合、その通し穴及び固定穴を固定で貫通して設けて、ベース及び接続ベースを接続することができることを特徴とするワイパー。
【請求項３】
請求項１に記載されるワイパーにおいて、そのうち、そのベースのＴ型スロットに定位穴を設け、更に、そのキャッチの上方にＵ型の形にカットして形成されるハングプレートを設け、又、そのハングプレートに突出ポイントを設けることで、キャッチをベースのＴ型スロットに嵌めて設けられる場合、その突出ポイントによって、定位穴にキャッチして固定することができることを特徴とするワイパー。
【請求項４】
請求項１に記載されるワイパーにおいて、そのうち、その接続ベースでの通し穴は、中央がより狭くて両端がより広いスピーカの型を呈することで、スプリングの曲がり及び下へ押すことが便利に行うことができることを特徴とするワイパー。
【請求項５】
請求項１に記載されるワイパーにおいて、そのうち、そのベースの両側の下縁は中へややアーク型の曲がりを呈することで、一つの保護プレートを形成することにより、有効に風の影響を防止できるため、ワイパーがもっと順調に動作できることを特徴とするワイパー。
【請求項６】
請求項１に記載されるワイパーにおいて、そのうち、接続ベースの通し穴に貫通して設けてあるスプリングの長さは、ややワイパーと同一の長さ又は二分の一の長さを持つのであることを特徴とするワイパー。
【請求項７】
請求項１に記載されるワイパーにおいて、そのうち、その二つの保護プレートに斜めのベース本体を設け、そのベース本体に嵌める穴のあるキャッチブロックを設けてあり、又、そのキャッチブロックの下方に一つのキャッチフックが設けられ、そのキャッチフックの下方に対称を呈する柱を設けることにより、その保護カバーがキャッチブロックでベースの嵌めるスロットに嵌めることができ、そのキャッチフックでベースのＴ型スロットの定位穴にキャッチして固定することができることを特徴とするワイパー。
【考案の詳細な説明】
【技術分野】
【０００１】
本考案はワイパーの構造に関するものである。特に一つの組み立てやすく、ワイパーで雨水をクリーンする効果が良いワイパーを指すものである。
【背景技術】
【０００２】
従来のワイパーの構造は通常図８の通りである。そのようなワイパーの上にビッグフレーム、ミドルフレーム９２及びスモールフレームを設けてある。又、ビッグフレームにワイプーアームと接続するキャッチバーを設け、スモールフレームにゴム条片を設けてある。そのような従来のワイパーに含まれるビッグ、ミドル、スモールフレームの部品が多いので、組み立てる場合、比較的に面倒であるし、部品のコストが高いので、加工及び材料がコストダウンできないため、相対的に競争力が向上できないのである。
【考案の開示】
【考案が解決しようとする課題】
【０００３】
本考案の主要な目的はワイパーを提供するものである。それによって、そのワイパーをより素早く便利で組み立てることができるし、材料もコストダウンできるので、相対的に競争力も向上することができる。
【０００４】
前述のワイパーに複数のベース、接続ベース及びキャッチ等を含む。そのベースの上方にスロットを設け、そのスロットの下方にＴ型のスロットを設ける。又、その接続ベースに貫通する通し穴を設け、そのキャッチの上方にＴ型のスロットを設けるし、その下縁に逆Ｕ型のスロットを設けることで、そのベースが接続ベースで接続した後、そのベースのＴ型スロットにキャッチを設けるし、その接続ベースの通し穴にスプリングを貫通して設けて、そのキャッチの逆Ｕ型スロットにゴム条片を嵌めることで、一つの撓み性のあるワイプが構成される。
【０００５】
前述のワイパーのベースの両端にそれぞれ通し穴を設け、その接続ベースの上にベース本体を設け、そのベース本体の上に固定穴を設けることで、固定部品（リベット）をベースでの通し穴及び接続のベースでの固定穴に貫通して、両方を接続することができる。
【０００６】
前述のワイパーのベースのＴ型スロットに定位穴を設けてある。更に、そのキャッチのＴ型条片をＵ型の形にカットしてハングプレートが形成されるし、そのハングプレートに突出ポイントを設けることで、そのハングプレートの弾性を利用して、ベースのＴ型スロットに嵌めて設けられる場合、その突出ポイントによって、定位穴にキャッチして固定することができる。
【０００７】
前述のワイパーの接続ベースに設けてある通し穴は、両端がより広くて、中央がより狭いスピーカの型を呈するものであるので、そのスプリングを貫通して設ける場合、その通し穴のだんだん広くなる構造によって、ワイパーが曲がりやすいし、ワイパーを使用する時、下へ向かって押しやすくなるのである。
【課題を解決するための手段】
【０００８】
請求項１の考案は、ワイパーに関するものであり、多数のベース、多数の接続ベース、多数のキャッチ及び二つの保護カバーを包含し、その中、多数のベースはそのベースに嵌めるスロット及びＴ型スロットを設け、
多数の接続ベースはベースの嵌めるスロットに嵌められるベース本体を設け、その上に貫通する通し穴を設けることにより、スプリングを貫通して設けることができ、
多数のキャッチはベースのＴ型スロットに嵌めて設け、その下縁に逆Ｕ型スロットを設けることで、ゴム条片を嵌めて設けることができ、
二つの保護カバーは両端のベースのサイドの縁に嵌めて設けることを特徴とするワイパーとしている。
請求項２の考案は、請求項１に記載されるワイパーにおいて、そのうち、そのベースの両端のサイドにそれぞれ通し穴を設け、その接続ベースのベース本体に固定穴を設けることにより、そのベース本体をベースの嵌めるスロットに嵌める場合、その通し穴及び固定穴を固定で貫通して設けて、ベース及び接続ベースを接続することができることを特徴とするワイパーとしている。
請求項３の考案は、請求項１に記載されるワイパーにおいて、そのうち、そのベースのＴ型スロットに定位穴を設け、更に、そのキャッチの上方にＵ型の形にカットして形成されるハングプレートを設け、又、そのハングプレートに突出ポイントを設けることで、キャッチをベースのＴ型スロットに嵌めて設けられる場合、その突出ポイントによって、定位穴にキャッチして固定することができることを特徴とするワイパーとしている。
請求項４の考案は、請求項１に記載されるワイパーにおいて、そのうち、その接続ベースでの通し穴は、中央がより狭くて両端がより広いスピーカの型を呈することで、スプリングの曲がり及び下へ押すことが便利に行うことができることを特徴とするワイパーとしている。
請求項５の考案は、請求項１に記載されるワイパーにおいて、そのうち、そのベースの両側の下縁は中へややアーク型の曲がりを呈することで、一つの保護プレートを形成することにより、有効に風の影響を防止できるため、ワイパーがもっと順調に動作できることを特徴とするワイパーとしている。
請求項６の考案は、請求項１に記載されるワイパーにおいて、そのうち、接続ベースの通し穴に貫通して設けてあるスプリングの長さは、ややワイパーと同一の長さ又は二分の一の長さを持つのであることを特徴とするワイパーとしている。
請求項７の考案は、請求項１に記載されるワイパーにおいて、そのうち、その二つの保護プレートに斜めのベース本体を設け、そのベース本体に嵌める穴のあるキャッチブロックを設けてあり、又、そのキャッチブロックの下方に一つのキャッチフックが設けられ、そのキャッチフックの下方に対称を呈する柱を設けることにより、その保護カバーがキャッチブロックでベースの嵌めるスロットに嵌めることができ、そのキャッチフックでベースのＴ型スロットの定位穴にキャッチして固定することができることを特徴とするワイパーとしている。
【考案の効果】
【０００９】
本考案はワイパーを提供するものである。それによって、そのワイパーをより素早く便利で組み立てることができるし、材料もコストダウンできるので、相対的に競争力も向上することができる。
【考案を実施するための最良の形態】
【００１０】
図１、２、３を同時に参照されたい、並びに図４にも合わせて参照してください。本考案に主に多数のベース１、多数の接続ベース２及び多数のキャッチ３、二つの保護プレート２０を含む。又、そのベース１の上方にスロット１１を設けてあり、そのスロット１１ の下方にＴ型スロット１２を設けることにより、 Ｔ型スロット１２の両側に中へややアーク型の曲がりを呈する保護プレート１３が形成され、又、そのＴ型スロット１２の中に定位孔１２１を設け、そのベース１の両端にそれぞれ通し孔１４を設けてあり、その中央の位置に設けてあるベース１に対称を呈する突出部１５、１６を設け、その突出部１５、１６にキャッチバー１７を設ける。
【００１１】
その接続ベース２に一つのベース本体２１を設け、そのベース本体２１に貫通する通し穴２２が設けることで、その通し穴２２は中央がより狭くて両端がより広いスピーカの型を呈する。又、そのベース本体２１のサイドに固定穴２３を設けてあるし、そのベース本体２１の外縁にベース１と対応する条片２４を設ける。
【００１２】
そのキャッチ３の上縁にＴ型条片３１を設けてあり、その条片３１の表面をＵ型の形にカットした後、弾性のあるハングプレート３２が形成されるし、そのハングプレート３２に突出ポイントを設け、その下縁に逆U型スロット３４を設けてある。
【００１３】
その保護プレート２０に斜めのベース本体２０１を設け、そのベース本体２０１に嵌める穴２０２のあるキャッチブロック２０３を設けてあり、又、そのキャッチブロック２０３の下方に一つのキャッチフック２０４が設けられるし、そのキャッチフック２０４の下方に対称を呈する柱２０５を設けてある。
【００１４】
上述の構造によって、その接続ベース２は、ベース本体２１をベース１のスロット１１に嵌めるし、固定部品４（リベット）で ベース１の通し孔１４及び接続ベース２の固定穴２３を貫通して設けることで、そのベース１を接続ベース２と接続させるし、その接続ベース２の通し穴２２にスプリング５を貫通して設けるし、そのベース１の Ｔ型スロット１２の中にキャッチ３を嵌めることで、そのキャッチ３を嵌めた後、その弾性のある突出ポイント３３を定位孔１２１にキャッチすることで固定することになるので、そのキャッチ３の逆Ｕ型スロット３４にゴム条片６を嵌めるし、その両端にそれぞれ保護プレート２０を嵌めて設けることで、撓み性のあるワイパーを構成するので、自動車のワイパーアームをキャッチバー１７にキャッチしてワイパーを連動することで、雨水をクリーンする効果を達成することができる。又、ワイパーを動作する場合、ベース１の両側の底縁にややアーク型の曲がりを呈する保護プレート１３が形成されるので、有効に風の影響を防止できるため、ワイパーがもっと順調に動作できる。
【００１５】
図５をご参照ください。本考案の接続ベース２に設けてある通し穴２２は、中央がより狭くて両端がより広いスピーカの型を呈するものであるので、スプリング５を貫通して設ける場合、その通し穴２２の両端がより広くて中央がより狭いことによって、ワイパーが自動車の窓のアークによって曲がる場合、平均に下へ押す力を構成することで、ワイパーの動作がより順調できるので、雨水をクリーンする効果がより良いのである。
【００１６】
同時に図６、図７をご参照ください。本考案の保護プレート２０はキャッチブロック２０３を両端ベース１のスロット１１に嵌めるし、そのキャッチフック２０４をＴ型スロット１２の定位孔１２１にキャッチさせる。又、下方にある柱２０５をＴ型スロット１２にキャッチして固定することで、スプリング５及びゴム条片６に止めて定位することが構成される。
【００１７】
同時に図８、図９をご参照ください。本考案のスプリング５が単一の長方形のスプリング５を使うことで、そのスプリング５をワイパーの両端に貫通することができる。又は、図９の通り、そのベース１の両側にそれぞれより短いスプリング５ａを使っても、同様に撓み性及び下へ押す効果を達成できるものである。
【００１８】
上述によって、本考案は複数のベース、接続ベース及びキャッチ等を使って、ワイパーがもっと素早く便利で組み立てることができる。
【図面の簡単な説明】
【００１９】
【図１】本考案の立体図である。
【図２】本考案の立体分解図である。
【図３】本考案のベース、接続ベース及びキャッチの立体分解図である。
【図４】本考案の組立完了の断面図である。
【図５】本考案のベース及び接続ベースの組立断面図である。
【図６】本考案の保護カバーの組立実施例図である。
【図７】本考案の保護カバーの組立実施例図である。
【図８】本考案のスプリングの組立実施例図である。
【図９】本考案の別一つのスプリングの組立実施例図である。
【図１０】従来のワイパーの立体図である。
【符号の説明】
【００２０】
１  ベース
２  接続ベース
３  キャッチ
４  固定部品
５  スプリング
６  ゴム条片
１１  スロット
１２  Ｔ型スロット
１３  保護プレート
１４  通し孔
１５、１６  突出部
１７  キャッチバー
２０  保護プレート
２１  ベース本体
２２  通し穴
２３  固定穴
２４  条片
３１  条片
３２  ハングプレート
３３  突出ポイント
３４  逆Ｕ型スロット
９１  ビッグフレーム
９２  ミドルフレーム
９３  スモールフレーム
１２１  定位孔
２０１  ベース本体
２０２  嵌める穴
２０３  キャッチブロック
２０４  キャッチフック
２０５  柱
９１１  キャッチバー
５ａ  スプリング
【図１】
0003120908.tif 000003
【図２】
0003120908.tif 000004
【図３】
0003120908.tif 000005
【図４】
0003120908.tif 000006
【図５】
0003120908.tif 000007
【図６】
0003120908.tif 000008
【図７】
0003120908.tif 000009
【図８】
0003120908.tif 000010
【図９】
0003120908.tif 000011
【図１０】
0003120908.tif 000012